(57)【特許請求の範囲】
【請求項１】
容器の口部に強制嵌合で取り付けられるプルオープン式の本体に、当該本体を上から覆うキャップがヒンジを介して連結されており、前記キャップのうちヒンジと反対側の自由端部に人が指を掛けるタブを突設している一方、
前記本体に、前記キャップのタブを上向き動不能に保持する係合部が破断可能な状態で一体に形成されており、前記係合部は、前記キャップのタブを上から覆う上カバーと、前記上カバーの外周縁に連続して下向きに延びる囲い壁とを有しており、前記囲い壁又は上カバーが引き千切り可能な脆弱部を介して本体に連結されている、
という構成において、
前記係合部の上カバーで前記タブの付け根まで覆われている一方、
前記囲い壁は前記脆弱部の下方に突出しており、前記囲い壁のうち周方向に向いた一端と他端とは、前記上カバーの外側に突出していて前記ブリッジ部を引き千切るためのタブとして機能し得る張り出し部になっており、前記一対の張り出し部が前記脆弱部の一例としてのブリッジ部を介して本体に連結されており、更に、前記係合部の囲い壁には前記張り出し部を区分する下向き開口溝が形成されている、
合成樹脂製の蓋装置。
【請求項２】
前記張り出し部は、前記囲い壁の他の部位よりも下方に突出している、
請求項１に記載した蓋装置。
【発明の詳細な説明】
【技術分野】
【０００１】
本願発明は、例えば液体調味料や食用油等の液体を包装する容器（瓶、ボトル）に使用する合成樹脂製の蓋装置に関し、更に詳しくは、封緘機能（ピルファープルーフ機能、改竄防止機能、不正開封抑止機能）を有するヒンジキャップ方式蓋装置に関するものである。
【背景技術】
【０００２】
ヒンジキャップ方式の蓋装置において、流通段階で不正開封された場合にその事実を視認できるように係合部（係止部、封緘部）を設けることが行われている。その例として特許文献１，２がある。これら特許文献１，２の係合部は、タブに重なる上カバー部とタブの外側に位置した壁部とを有して縦断側面視で逆Ｌ字状になっており、壁部の下端がブリッジ部を介して本体に繋がっている。また、ブリッジ部は本体のうちキャップが重なる段部（重合面）に近接しており、従って、壁部はその大部分が本体の段部よりも上に位置している。
【先行技術文献】
【特許文献】
【０００３】
【特許文献１】実開平５−３５７０７号のＣＤ−ＲＯＭ
【特許文献２】特開２０１０−１３１１３号公報
【発明の概要】
【発明が解決しようとする課題】
【０００４】
特許文献１，２のものは、係合部を下向きに倒してブリッジ部を千切ることで封緘を解除することになるが、タブが外れる状態まで係合部を弾性変形させ得る可能性があり、このため、封緘機能（改竄防止機能、不正開封抑止機能）が不完全になるおそれがあった。本願発明は、このような現状を改善すべく成されたものである。
【課題を解決するための手段】
【０００５】
本願発明の蓋装置は、容器の口部に強制嵌合で取り付けられるプルオープン式の本体に、当該本体を上から覆うキャップがヒンジを介して連結されており、前記キャップのうちヒンジと反対側の自由端部に人が指を掛けるタブを突設している一方、前記本体に、前記キャップのタブを上向き動不能に保持する係合部が破断可能な状態で一体に形成されている、という基本構成になっている。
【０００６】
そして、前記係合部は、前記キャップのタブを上から覆う上カバーと、前記上カバーの外周縁に連続して下向きに延びる囲い壁とを有しており、前記囲い壁又は上カバーが引き千切り可能な脆弱部を介して本体に連結されている、という構成において、前記係合部の上カバーで前記タブの付け根まで覆われている一方、前記囲い壁は前記脆弱部の下方に突出している。
【０００７】
前記囲い壁は前記脆弱部の下方に突出しており、前記囲い壁のうち周方向に向いた一端と他端とは、前記上カバーの外側に突出していて前記ブリッジ部を引き千切るためのタブとして機能し得る張り出し部になっており、前記一対の張り出し部が前記脆弱部の一例としてのブリッジ部を介して本体に連結されており、更に、前記係合部の囲い壁には前記張り出し部を区分する下向き開口溝が形成されている。
請求項２の発明は、請求項１において、前記張り出し部は、前記囲い壁の他の部位よりも下方に突出している。
【発明の効果】
【０００８】
本願発明において、囲い壁又は上カバーを引っ張って脆弱部を千切らないと封緘を解除することはできない。そしてタブは上カバーで殆ど全体が覆われているので、脆弱部を千切らずにタブを上カバーから外そうとすると、上カバーを本体の外側（本体の軸心から遠ざかる方向）に向けて起こさねばならないが、囲い壁が脆弱部よりも下方に突出しているため、上カバーを本体の外側に起こそうとすると、囲い壁の下端が本体の外周面に当たって上カバーを起こすことができなくなる場合が殆どである。
【０００９】
従って、係合部の弾性変形限度内において上カバーを本体の外側に起こしてタブを引き外すことは全く又は殆ど不可能となる。換言すると、脆弱部を破断しない限り、タブを露出させて指を掛けることはできない。その結果、封緘機能を向上できる。
【００１０】
そして、張り出し部に指を当てて当該張り出し部を起こしたり張り出し部を引っ張ったりすることで、ブリッジ部を千切ることができる。すなわち、張り出し部はブリッジ部の引き千切りのためのタブとして機能するのであり、このため封緘解除（開封）を容易に行える。しかも、下向き開口溝を形成して張り出し部を区分していることにより、張り出し部は変形し易くなって指への当たりを和らげることができるため、より好適である。
請求項２の構成によると、開封に際して張り出し部を指で起こし易いと共に、張り出し部が指先に当たる面積を大きくできるため、張り出し部を起こし操作するにおいて指先への当たりを一層柔らかくすることができる。
【図面の簡単な説明】
【００１１】
【図１】第１実施形態を示す図で、（Ａ）はキャップを閉じた状態での斜視図、（Ｂ）はキャップを半開きした状態での側面図、（Ｃ）は（Ａ）のＣ−Ｃ視縦断面図である。
【図２】第１実施形態を示す図で、（Ａ）はキャップを開いた状態での部分平面図、（Ｂ）は（Ａ）のＢ−Ｂ視断面図、（Ｃ）は（Ａ）のＣ−Ｃ視正面図、（Ｄ）は図１（Ｃ）のIID-IID 視断面図である。
【図３】（Ａ）は第２実施形態の要部平面図、（Ｂ）は（Ａ）のＢ−Ｂ視断面図、（Ｃ）は第２実施形態の変形例の平面図、（Ｄ）は第３実施形態の要部平面図、（Ｅ）は（Ｄ）のＥ−Ｅ視断面図である。
【発明を実施するための形態】
【００１２】
次に、本願発明の実施形態を図面に基づいて説明する。なお、本実施形態において方向を特定するため便宜的に「前後」「左右」の文言を使用するが、この前後・左右は、図１に表示するように、キャップを閉じた状態でタブと対峙した状態を正面視とし、この状態を基準にしている。また、蓋装置は単一成形物なので図面の断面表示のハッチングは全体にわたって同じ態様に描くのが原則であるが、視認性を高めるため、便宜的に本体とキャップとでハッチングの向きを変えている。
【００１３】
(1).第１実施形態の構造
蓋装置は本体１とキャップ２とからなっており、両者は１本のセンターヒンジ３及び２本のサイドヒンジ４を介して一体に繋がっている。本体１は、容器の口部５に外側から嵌まる外筒６と、容器の口部５に内側から嵌まる内筒７と、内筒７の上端と一体に連続した注出口８と、内筒７及び注出口８の境界部において注出通路を封止する閉鎖板９とを備えている。容器の口部５の外面には環状係合溝５ａが形成されている一方、本体１の外筒６には、環状係合溝５ａと嵌合する環状突起６ａが形成されている。
【００１４】
外筒６と内筒７との上端は段部１０を介して一体に連続しており、段部１０には、注出口８を囲う上向きのリング部１１が形成されている。図１（Ｂ）に示すとおり、注出口８はヒンジ３，４に近い半分程の部分が低くなるように段違いになっている。閉鎖板９にはループ状のスコアー（薄肉部）１２が形成されており、スコアー１２で囲われた部分の端部にプルリング（プルタブ）１３を一体に設けている。いうまでもないが、プルリング１３を引っ張ってスコアー１２の箇所を引き千切ることにより、内容物（液体）を注ぎ出すことができる。
【００１５】
キャップ２は、閉じた状態で本体２の段部１０に重なるように筒部と天板とを備えており、天板には注出口８に内側から嵌合する中足１４を設けている。また、キャップ２のうち軸心を挟んでヒンジ３，４と反対側に位置した自由端部には、タブ１５を突設している。タブ１５の下面には、指の引っ掛かりを良くするためのリブを形成している。
【００１６】
本体１のうち軸心を挟んだヒンジ３，４と反対側の端部（前部）には、キャップ２のタブ１５を囲う係合部１８が一体に形成されている。係合部１８は、タブ１５を上から覆う上カバー（水平部）１９と、上カバー１９の外周縁に連続して下向きに突出した囲い壁２０とを備えている。
【００１７】
上カバー１９と囲い壁２０とは円周方向に延びており、上カバー１９はタブ１５を完全に覆う左右長さであり、かつ、上カバー１９でタブ１５の付け根まで覆っている。従って、人が上カバー１９の後端面に指や爪を掛けることはできない。上カバー１９の上面には、内向き先端面に向けて下向き傾斜する傾斜ガイド面１９ａが形成されている。従って、蓋装置を製造してから閉蓋状態にセットするにおいて、タブ１５は上カバー１９の下方にスムースに誘い込まれる。
【００１８】
囲い壁２０は、上カバー１９の左右端よりも左右外側にはみ出している。すなわち、囲い壁２０は、上カバー１９の左右外側に突出した張り出し部２０ａを有している。この場合、張り出し部２０ａは下向き開口溝２１によって囲い壁２０の他の部位（基部）から区分されており、また、張り出し部２０ａは、囲い壁２０の他の部位よりも下方に突出している。このため、人は張り出し部２０ａを指で起こし易い。
【００１９】
囲い壁２０のうち、下向き開口溝２１の左右内側で上カバー１９よりも左右外側に位置した部位（張り出し部２０ａ）には、本体１における外筒６の外周面に繋がった左右一対のブリッジ部２２が形成されている。すなわち、囲い壁２０の左右両端寄り部位がブリッジ部２２を介して本体１に一体に繋がっている。当然ながら、ブリッジ部２２は引き千切り可能な強度になっている。
【００２０】
図２（Ｂ）から理解できるように、ブリッジ部２２は本体１における外筒６の外周面の上端に繋がっている。また、ブリッジ部２２は上カバー１９の左右外側に位置しているため、金型を使用した射出成形によって蓋装置を製造するにおいて型抜きは容易に行われる（敢えて述べるまでもないが、蓋装置はキャップ２を開いた姿勢に成形される。）。本体１における外筒６の外周面のうちタブ１５の下方の部分には凹所２３が形成されており、ブリッジ部２２は凹所２３の左右外側に配置されている。
【００２１】
囲い壁２０はブリッジ部２２よりも下方に大きく突出しており、本実施形態では、おおむね凹所２３の下端付近まで延びている。更に述べると、囲い壁２０がブリッジ部２２よりも下方に突出している寸法Ｌ１は、上カバー１９の内向き突出寸法Ｌ２とおおむね等しいか又は大きくなっている。封緘機能の点からは、囲い壁２０の下向き突出寸法Ｌ１はできるだけ大きいのが好ましいのであり、図１（Ｃ）及び図２（Ｂ）（Ｃ）に二点鎖線で示すように外筒６の下端近傍まで延ばして、Ｌ１をＬ２の例えば１．５倍以上に設定するといったことも可能である。
【００２２】
(2).第１実施形態のまとめ
既述のように、蓋装置１はキャップ２を開いた状態で成形（製造）される。そして、キャップ２を閉じると、タブ１５が係合部１８の弾性に抗して上カバー１９の下方に嵌まり込み、封緘状態になる。そして、例えば流通段階で不正行為として、上カバー１９の内周縁に指を掛けて外向きに引くことでタブ１５をこじ開けようとすることが考えられるが、上カバー１９はタブ１５の付け根に近接又は密接しているため、上カバー１９の内周縁に指を掛けることはできず、このため上カバー１９を起こすことは困難である。
【００２３】
また、図１（Ｃ）に矢印Ｘで示すように、囲い壁２０を本体１に向けて押すことで上カバー１９を外向きに起こそうとすることも考えられるが、この場合も、囲い壁２０の下端が本体１の外周面につかえて上カバー１９を外側に起こすことができないため、上カバー１９をこじあけてタブ１５を露出させることはできない。
【００２４】
いずれにしても、ブリッジ部２２を千切らないと上カバー１９によるタブ１５の押さえは解除できないのであり、このため封緘機能に優れている。封緘を解除するには、例えば張り出し部２０ａと本体１との間に指先を差し込んで、張り出し部２０ａを手前に起こすことでブリッジ部２２を千切ったらよい。片方のブリッジ部２２を千切ったら、係合部１８の全体を指で摘んで引っ張ることでもう一方のブリッジ部２２は簡単に千切れる。囲い壁２０に下方から指を入れて、囲い壁２０の全体を上向きに起こすことによってもブリッジ部２２を千切ることができる。
【００２５】
本実施形態のように、下向き開口溝２１を介して張り出し部２０ａを他の部位から区分すると、張り出し部２０ａは容易に変形するため、張り出し部２０ａを指先で起こし操作するにおいて、指先への当たりを和らげて開封を容易に行える利点がある。また、本実施形態のように張り出し部２０ａを他の部位よりも下方に突出させると、張り出し部２０ａが指先に当たる面積を大きくできるため、張り出し部２０ａを起こし操作するにおいて指先への当たりを一層柔らかくすることができる。
【００２６】
なお、本実施形態では下向き開口溝２１を囲い壁２０の左右両端部に形成しているが、左右のうちいずれか一方のみに形成することも可能である。また、図１（Ｂ）に二点鎖線で示すように、張り出し部２０ａを円周方向に沿って長く突出させることにより、摘まみ片２０ｂと成すことも可能である。摘まみ片２０ｂは、囲い壁２０の左又は右の一方の端部のみに設けることも可能である。
【００２８】
(3).他の実施形態
次に、図３に示す他の実施形態を説明する。これらは第１実施形態の変形例と言えるものであり、（Ａ）（Ｂ）に示す第２実施形態では、囲い壁２０の左右中間部の下端に、本体１に向けて突出した規制部２５を内向き突設している。上カバー１９には、平面視で規制部２５を囲う抜き違い穴２６が空いている。抜き違い穴２６は、金型を使用して成形するにおいて型抜きを容易ならしめるためのものである。
【００２９】
このように囲い壁２０の下端部に規制部２５を設けると、囲い壁２０を本体１に向けて倒すことが殆ど不可能になるため、結果として上カバー１９を引き起こすことも殆ど不可能になり、その結果、封緘機能がより確実ならしめられる。規制部２５は、囲い壁２０の下方に突出させている。抜き違い穴２６に代えて、内向きに開口した切り開き溝を形成してもよい（この場合は、上カバー１９は左右に分断される。）。図３（Ｃ）の変形例に示すように、規制部２５と抜き違い穴２６とを複数ずつ形成することも可能である。
【００３０】
図３（Ｄ）（Ｅ）に示す第３実施形態では、規制部２５を、上カバー１９の左右外側でブリッジ部２２よりも左右内側に配置している。本実施形態では規制部２５の上方は開放されているので、第２実施形態のような抜き違い穴２６は不要である。
【００３１】
第３実施形態の変形例として、規制部２５を上カバー１９の左右両端部に一体に繋げることも可能である。この場合は、係合部１８の剛性が格段に高くなる。また、第３実施形態の他の変形例として、図３（Ｅ）に一点差線で示すように、規制部２５を細い形状となしてこれを本体１に一体に繋ぐことも可能である。この場合は、規制部２５はブリッジ部として機能する。
【００３２】
(4).その他
本願発明の具体例は上記の形態に限定されるものではなく、他にも様々に具体化できる。
【産業上の利用可能性】
【００３３】
本願発明は、ヒンジキャップ式の蓋装置に具体化して有用性を発揮する。従って、産業上利用できる。
【符号の説明】
【００３４】
１  本体
２  キャップ
３，４  ヒンジ
６  本体の外筒
７  本体の内筒
８  注出口
９  閉鎖板
１３  プルリング
１５  キャップのタブ
１８  係合部
１９  上カバー
２０  囲い壁
２０ａ  張り出し部
２１  下向き開口溝
２２  ブリッジ部
２５  規制部
２６  抜き違い穴
【図１】
0005723555.tif 000002
【図２】
0005723555.tif 000003
【図３】
0005723555.tif 000004